(57)【特許請求の範囲】
【請求項１】
コンテナが積載される積載面を有する車台と、前記車台に配設され前記コンテナを前記積載面上の積載位置へ向けて案内するコンテナガイドと、前記コンテナが積載位置に着床されたかを検出する着床検出装置とを備え、前記車台を走行させて前記コンテナを運搬する運搬車両において、
前記コンテナガイドは、前記車台の前方向または後方向に案内面を向けて配置される前後ガイドと、その前後ガイドに隣設されると共に前記車台の左方向または右方向に案内面を向けて配置される左右ガイドとを備え、
前記左右ガイドは、前記車台から立設されると共に所定間隔を隔てつつ互いに対向して配設される一対の立設壁部と、それら一対の立設壁部に保持されると共に前記車台の積載面へ向けて下降傾斜して配設され前記コンテナを前記積載面の積載位置へ向けて案内する板状の案内板部とを備え、
前記着床検出装置は、
前記車台に回動可能に軸支されるレバー部材と、
そのレバー部材を一の回動方向へ向けて付勢する付勢部材と、
前記レバー部材の回動位置を検出する回動位置検出部材と、を備えると共に、
前記左右ガイドにおける立設壁部および案内板部と前記車台との間に形成される空間内に、前記レバー部材の一部と前記付勢部材と前記回動位置検出部材とが収納され、
前記レバー部材は、前記一の回動方向への回動により前記積載面上へ突出されると共に他の回動方向への回動により前記積載面下へ没入される出没端部を備え、
前記回動位置検出部材は、前記出没端部が前記積載面下へ没入された前記レバー部材の回動位置を検出可能に構成され、
前記レバー部材の出没端部は、前記積載面上に突出された状態で、前記出没端部の上面側から前記積載面側へ向けて下降傾斜して形成される平坦面状の傾斜面を備え、
前記出没端部の傾斜面は、前記出没端部の先端側に形成される先端側傾斜面と、前記前後ガイドに対向する側に形成される対向側傾斜面と、その対向側傾斜面の反対側に形成される開放側傾斜面とを備え、
前記対向側傾斜面の面積が前記先端側傾斜面および開放側傾斜面の面積よりも小さくされていることを特徴とする運搬車両。
【請求項２】
前記出没端部の傾斜面は、前記出没端部が前記積載面上へ最も突出された状態において、その傾斜面の下端縁が少なくとも前記積載面下に位置するように構成されていることを特徴とする請求項１記載の運搬車両。
【請求項３】
前記出没端部の傾斜面は、前記積載面に対する傾斜角が３０度以上かつ４５度以下とされていることを特徴とする請求項１又は２に記載の運搬車両。
【請求項４】
前記レバー部材は、前記車台に軸支される本体部を備えると共に、その本体部に対して前記出没端部が着脱可能に構成されていることを特徴とする請求項１から３のいずれかに記載の運搬車両。
【発明の詳細な説明】
【技術分野】
【０００１】
本発明は、運搬車両に関し、特に、コンテナが積載面上を横滑りして着床位置に着床される場合であっても、コンテナの着床を着床検出装置により検出可能としつつ、その着床検出装置の破損を抑制することができる運搬車両に関するものである。
【背景技術】
【０００２】
一般に、コンテナを積載して運搬する運搬車両には、コンテナを案内するためのコンテナガイドが積載面上に配置されている。かかるコンテナガイドは、コンテナの積載を容易にするための部材であり、積載面へ向けて下降傾斜する案内面を備え、かかる案内面を利用して、コンテナを積載面上の所定の積載位置へ案内する。また、コンテナガイドは、積載面上に積載されたコンテナを位置決めして、コンテナが運搬時に車外へ脱落することを防止する位置決め手段としての役割も担っている。
【０００３】
運搬車両には、積載するコンテナのサイズに応じて複数のコンテナガイドが配置されており、コンテナを運搬車両の前後方向に位置決めするためのコンテナガイドは、積載面に対して出没可能に構成されている（特許文献１、但し、特許文献１の技術は本願出願時において未公知）。
【０００４】
例えば、２０フィートのコンテナを積載する場合には、２０フィートのコンテナに対応するコンテナガイドを突出させ、４０フィートのコンテナを積載する場合には、２０フィートのコンテナに対応するコンテナガイドを格納し、かつ、４０フィートに対応するコンテナガイドを突出させる。これにより、コンテナの下面を損傷させることなく、異なるサイズのコンテナを積載面上の所定の積載位置に位置決めすることができる。
【０００５】
この場合、例えば、２０フィートに対応するコンテナガイドを格納した状態であるにも関わらず、２０フィートのコンテナが積載され、そのコンテナが運搬車両の前後方向へ移動可能となっている場合や、或いは、コンテナの一側がコンテナガイドの案内面に乗り上げ、コンテナの底面が積載面に着床していない傾斜した姿勢のままでコンテナの運搬を行う場合には、運搬中にコンテナが車外へ脱落する恐れがある。そのため、コンテナが積載面上の所定の積載位置に着床されているか否かを検出することが必要である。
【０００６】
コンテナの着床を検出する技術としては、例えば、超音波センサをコンテナガイドの案内面であって積載面に近い側に埋設し、その発信部および受信部をコンテナ側へ向けて配置する。これにより、発信部から超音波を発振して、コンテナから反射した超音波を受信部が受信すれば、コンテナが所定の積載位置に着床されていることを検出でき、一方、受信部がコンテナから反射した超音波を受信しなければ、コンテナが所定の積載位置に着床されていないことを検出できる。
【０００７】
しかしながら、この技術では、気温が低下した場合や雪の付着により発信部や受信部の動作不良が起こりやすく、実用的な検出精度を確保することができないという問題点があった。光電スイッチなどの他の非接触センサを用いた場合も同様であり、雨や埃などの付着により、検出不良が発生する。
【０００８】
そこで、本願出願人は、図８に示すような着床ピン１０１を利用してコンテナＣの着床を検出する技術を開発した。即ち、図８（ａ）に示すように、コンテナＣが着床するべき所定の積載位置に、丸棒状の着床ピン１０１を上下方向（図８（ａ）矢印Ｕ−Ｄ方向）に変位可能に配置し、先端が積載面から突出した状態となるように、着床ピン１０１を弾性ばねにより上方向へ付勢すると共に、この着床ピン１０１の先端が積載面まで押し戻されると（図示せず）、リミットスイッチ１０２がオンされるように構成する。
【０００９】
これにより、リミットスイッチ１０２がオンされていれば、着床ピン１０１がコンテナＣの底面により積載面まで押し戻されており、よって、コンテナＣが所定の積載位置に着床されていることを検出でき、リミットスイッチ１０２がオフであれば、着床ピン１０１の先端が積載面から突出されており、よって、コンテナＣが所定の積載位置に着床されていないことを検出できる。
【特許文献１】特願２００６−００８６２９号公報
【発明の開示】
【発明が解決しようとする課題】
【００１０】
しかしながら、コンテナＣが所定の積載位置に対して位置ずれした状態で降下されると、このコンテナＣは、図８（ｂ）に示すように、コンテナガイド１０３に一側（図８（ｂ）右側）のみが乗り上げると共に他側（図８（ｂ）左側）が積載面上に載置させた傾斜した姿勢となる。この姿勢のままコンテナＣが更に降下されると、このコンテナＣは、他側を積載面上で横滑りさせながら（図８（ｂ）矢印Ｘ方向）、積載位置に着床される。
【００１１】
そのため、上述した着床ピン１０１を利用する技術では、図８（ｂ）に示すように、コンテナＣの位置ずれ量が着床ピン１０１の配設位置よりも大きいと、コンテナＣの着床を検出できないだけでなく、コンテナＣの横滑りによって、着床ピン１０１が破損するという問題点があった。
【００１２】
本発明は上述した問題点を解決するためになされたものであり、コンテナが積載面上を横滑りして着床位置に着床される場合であっても、コンテナの着床を着床検出装置により検出可能としつつ、その着床検出装置の破損を抑制することができる運搬車両を提供することを目的としている。
【課題を解決するための手段】
【００１３】
この目的を達成するために、請求項１記載の運搬車両は、コンテナが積載される積載面を有する車台と、前記車台に配設され前記コンテナを前記積載面上の積載位置へ向けて案内するコンテナガイドと、前記コンテナが積載位置に着床されたかを検出する着床検出装置とを備え、前記車台を走行させて前記コンテナを運搬するものであり、前記着床検出装置は、前記車台に回動可能に軸支されるレバー部材と、そのレバー部材を一の回動方向へ向けて付勢する付勢部材と、前記レバー部材の回動位置を検出する回動位置検出部材と、を備え、前記レバー部材は、前記一の回動方向への回動により前記積載面上へ突出されると共に他の回動方向への回動により前記積載面下へ没入される出没端部を備え、前記回動位置検出部材は、前記出没端部が前記積載面下へ没入された前記レバー部材の回動位置を検出可能に構成され、前記レバー部材の出没端部は、前記積載面上に突出された状態で、前記出没端部の上面側から前記積載面側へ向けて下降傾斜して形成される平坦面状の傾斜面を備えている。
【００１４】
請求項２記載の運搬車両は、請求項１記載の運搬車両において、前記出没端部の傾斜面は、前記出没端部が前記積載面上へ最も突出された状態において、その傾斜面の下端縁が少なくとも前記積載面下に位置するように構成されている。
【００１５】
請求項３記載の運搬車両は、請求項１又は２に記載の運搬車両において、前記コンテナガイドは、前記車台から立設されると共に所定間隔を隔てつつ互いに対向して配設される一対の立設壁部と、それら一対の立設壁部に保持されると共に前記車台の積載面へ向けて下降傾斜して配設され前記コンテナを前記積載面の積載位置へ向けて案内する板状の案内板部とを備え、前記着床検出装置は、前記コンテナガイドの立設壁部および案内板部と前記車台との間に形成される空間内に、前記レバー部材の一部と前記付勢部材と前記回動位置検出部材とが収納されている。
【００１６】
請求項４記載の運搬車両は、請求項３記載の運搬車両において、前記コンテナガイドは、前記車台の前方向または後方向に案内面を向けて配置される前後ガイドと、その前後ガイドに隣設されると共に前記車台の左方向または右方向に案内面を向けて配置される左右ガイドとを備え、前記着床検出装置は、前記左右ガイドにおける立設壁部および案内板部と前記車台との間に形成される空間内に収納され、前記出没端部の傾斜面は、前記出没端部の先端側に形成される先端側傾斜面と、前記前後ガイドに対向する側に形成される対向側傾斜面と、その対向側傾斜面の反対側に形成される開放側傾斜面とを備え、前記対向側傾斜面の面積が前記先端側傾斜面および開放側傾斜面の面積よりも小さくされている。
【００１７】
請求項５記載の運搬車両は、請求項１から４のいずれかに記載の運搬車両において、前記出没端部の傾斜面は、前記積載面に対する傾斜角が３０度以上かつ４５度以下とされている。
【００１８】
請求項６記載の運搬車両は、請求項１から５のいずれかに記載の運搬車両において、前記レバー部材は、前記車台に軸支される本体部を備えると共に、その本体部に対して前記出没端部が着脱可能に構成されている。
【発明の効果】
【００１９】
請求項１記載の運搬車両によれば、コンテナが積載面に積載され、積載位置に着床されると、その積載位置への着床が着床検出装置により検出される。コンテナが積載位置に対して位置ずれした状態で降下されると、かかるコンテナは、コンテナガイドにより案内され、積載位置に着床される。この場合、コンテナは、コンテナガイドに一側のみが乗り上げると共に他側が積載面上に載置された傾斜した姿勢となる。この姿勢のままコンテナが更に降下されると、コンテナは、他側を積載面上で横滑りさせながら、積載位置に着床される。
【００２０】
ここで、本発明によれば、着床検出装置は、車台に回動可能に軸支されるレバー部材と、そのレバー部材を一の回動方向へ向けて付勢する付勢部材と、レバー部材の回動位置を検出する回動位置検出部材とを備え、レバー部材は、一の回動方向への回動により積載面上へ突出されると共に他の回動方向への回動により積載面下へ没入される出没端部を備え、回動位置検出部材は、出没端部が積載面下へ没入されたレバー部材の回動位置を検出可能に構成され、レバー部材の出没端部は、積載面上に突出された状態で、その出没端部の上面側から積載面側へ向けて下降傾斜して形成される平坦面状の傾斜面を備える構成であるので、コンテナが積載面上を横滑りして着床位置に着床される場合であっても、コンテナの着床を着床検出装置により検出可能としつつ、その着床検出装置の破損を抑制することができるという効果がある。
【００２１】
即ち、本発明によれば、レバー部材が回動可能に軸支され、そのレバー部材のシーソー式の回動により、出没端部が昇降されて積載面から出没されると共に、その出没端部に傾斜面が形成される構成であるので、積載面上を横滑りするコンテナが出没端部を横方向から押圧する場合であっても、レバー部材を他の回動方向へ向けてスムーズに回動させて、出没端部を積載面下へ確実に没入させることができる。その結果、かかる出没端部が積載面下へ没入されたレバー部材の回動位置を回動位置検出部材により検出することで、着床検出装置（レバー部材）の破損を抑制しつつ、コンテナの着床を確実に検出することができる。
【００２２】
なお、本発明によれば、レバー部材が付勢部材により一の回動方向へ向けて付勢されているので、コンテナが積載面上から取り除かれた場合には、出没端部が積載面下に没入された状態（コンテナの着床が検出されている状態）から出没端部が積載面上に突出した状態（コンテナの着床を検出可能な初期状態）となるように、レバー部材の状態（回動位置）を初期状態へ確実に復帰させることができるという効果がある。
【００２３】
また、本発明によれば、レバー部材が他の回動方向へ回動することで、出没端部が積載面下へ没入される構成であるので、積載面に積載されたコンテナの荷重を積載面のみに作用させることができ、かかるコンテナの荷重を出没端部（レバー部材）で受ける必要がないので、その分、レバー部材やその軸支部の構造を簡素化して、着床検出装置の小型軽量化を図ることができるという効果がある。
また、車台から立設されると共に所定間隔を隔てつつ互いに対向して配設される一対の立設壁部と、それら一対の立設壁部に保持されると共に車台の積載面へ向けて下降傾斜する板状の案内板部とによりコンテナガイドを形成する構成であるので、コンテナの荷重を受け止めて案内するための剛性を確保しつつ、コンテナガイド自体の軽量化を図ることができるという効果がある。
このように、コンテナガイドを板状体から構成することで、軽量化を図ることができるが、この場合には、かかるコンテナガイドの立設壁部および案内板部と車台との間にデッドスペースとなる空間が形成され無駄となる。これに対し、本発明によれば、かかるデッドスペースとなる空間内に、着床検出装置（レバー部材の一部と付勢部材と回動位置検出部材）を収納する構成であるので、運搬車両（車台）上のスペースを有効に活用することができるという効果がある。
また、このように、コンテナガイドの下方に形成される空間内に着床検出装置を収納することができれば、かかる着床検出装置を積載面（積載位置）下に配置する必要がないので、その分、かかる積載面下のスペースを他の装置を収納するスペースとして利用することができ、設計の自由度を大きくすることができるという効果がある。他の装置としては、例えば、コンテナガイド自体が積載面に対して出没可能に構成される場合の出没駆動装置（例えば、特願２００６−００８６２９号公報に記載の装置）が例示される。
更に、コンテナガイドは、車台の前方向または後方向に案内面を向けて配置される前後ガイドと、その前後ガイドに隣設されると共に車台の左方向または右方向に案内面を向けて配置される左右ガイドとを備え、着床検出装置は、左右ガイドにおける立設壁部および案内板部と車台との間に形成される空間内に収納され、出没端部の傾斜面は、出没端部の先端側に形成される先端側傾斜面と、前後ガイドに対向する側に形成される対向側傾斜面と、その対向側傾斜面の反対側に形成される開放側傾斜面とを備える構成であるので、着床検出装置（レバー部材）の損傷を確実に抑制しつつ、コンテナの着床を確実に検出することができるという効果がある。
即ち、出没端部に３方向の傾斜面（先端側傾斜面、対向側傾斜面、開放側傾斜面）を形成すると共に、これら各傾斜面の方向を前後ガイドまたは左右ガイドの各案内面の方向に対応させる構成とすることで、積載面上を横滑りするコンテナが出没端部を車台の前後方向または左右方向のいずれの方向から押圧する場合であっても、かかるコンテナによる押圧を各傾斜面のいずれかにより受け止めることができる。その結果、レバー部材を他の回動方向へ向けてスムーズに回動させて、出没端部を積載面下へ確実に没入させることができるので、着床検出装置（レバー部材）の破損を確実に抑制しつつ、コンテナの着床を確実に検出することができる。
ここで、本発明によれば、対向側傾斜面の面積が先端側傾斜面および開放側傾斜面の面積よりも小さくされているので、その分、レバー部材の幅寸法（車台前後方向寸法）を小さくして、レバー部材の小型軽量化を図ることができるという効果がある。
即ち、先端側傾斜面および開放側傾斜面は、積載面上を横滑りするコンテナにより横方向からの押圧を受けるため、その面積を十分に確保することが要求される一方で、対向側傾斜面は、積載面上を横滑りするコンテナではなく、前後ガイドの案内面に乗り上げたコンテナによって下方向へ押し下げられる部位であるため、比較的面積を小さくすることができる。よって、かかる対向側傾斜面の面積を他の傾斜面の面積よりも小さくすることで、コンテナの着床検出精度とレバー部材の破損抑制性能とを確保しつつ、レバー部材の幅寸法の小型化を図ることができる。
【００２４】
請求項２記載の運搬車両によれば、請求項１記載の運搬車両の奏する効果に加え、出没端部の傾斜面は、出没端部が積載面上へ最も突出された状態において、その傾斜面の下端縁が少なくとも積載面下に位置するように構成されている、即ち、傾斜面が形成されていない非傾斜部は積載面下に位置する構成であるので、積載面上を横滑りするコンテナが出没端部を横方向から押圧する場合に、コンテナが非傾斜部に引っ掛かることを回避して、レバー部材に過大な荷重が作用することを抑制することができ、その結果、着床検出装置（レバー部材）の破損を確実に抑制することができるという効果がある。
【００２５】
【００２６】
【００２７】
【００２８】
【００２９】
【００３０】
【００３１】
【００３２】
請求項３記載の運搬車両によれば、請求項１又は２に記載の運搬車両の奏する効果に加え、出没端部の傾斜面は、積載面に対する傾斜角が３０度以上かつ４５度以下とされているので、着床検出装置（レバー部材）の破損を抑制しつつ、レバー部材の小型軽量化を図ることができるという効果がある。
【００３３】
即ち、傾斜角が４５度を超えると、傾斜角が過大となり、積載面に対して傾斜面が立ち過ぎとなるため、積載面上を横滑りするコンテナが傾斜面に引っ掛かりやすくなり、この場合には、レバー部材に過大な荷重が作用して、着床検出装置（レバー部材）の破損を招く。これに対し、本発明のように、傾斜角を４５度以下とすることで、コンテナが傾斜面に引っ掛かることを抑制して、レバー部材を確実に回動させる（出没端部を積載面下へ確実に没入させる）ことができるので、着床検出装置（レバー部材）の破損を抑制することができる。
【００３４】
一方、出没端部は積載面からの突出高さが所定量以上であることが必要である（例えば、出没端部と反対側に位置する端部の昇降ストロークを確保して、リミットスイッチを確実に作動させる必要がある）ところ、傾斜角が３０度よりも小さいと、積載面に対して傾斜面が傾斜し過ぎとなり、かかる傾斜面の面積が大きくなるため、その分、レバー部材（出没端部）の大型化を招く。これに対し、本発明のように、傾斜角を３０度以上とすることで、出没端部の突出高さを確保しつつ、傾斜面の面積を抑制して、その分、レバー部材の小型軽量化を図ることができる。
【００３５】
請求項４記載の運搬車両によれば、請求項１から３のいずれかに記載の運搬車両の奏する効果に加え、レバー部材は、車台に軸支される本体部を備えると共に、その本体部に対して出没端部が着脱可能に構成されているので、これら本体部と出没端部とを互いに材質が異なる材料からそれぞれ構成することができるという効果がある。
【００３６】
その結果、例えば、コンテナに当接される出没端部のみを本体部よりも高強度の材料（例えば、普通鋼に比較して高強度の炭素鋼）から構成することで、強度が必要とされる部位（コンテナに当接される出没端部）のみを効率的に補強することができるので、レバー部材全体を高強度の材料から構成する場合と比較して、出没端部の摩耗や損傷を抑制しつつ、材料コストの削減を図ることができるという効果がある。
【００３７】
更に、出没端部を本体部に対して着脱可能に構成することで、例えば、出没端部がコンテナへ繰り返し当接されて摩耗した場合や、或いは、コンテナからの横方向への荷重によりレバー部材(軸支部)が破損した場合などには、これら出没端部および本体部の内の摩耗又は破損したもののみを交換すれば良く、レバー部材全体を例えば新品に交換する必要がない。これにより、部品交換の際の材料の無駄を抑制して、その分、運搬車両の維持費を削減することができるという効果がある。
【発明を実施するための最良の形態】
【００３８】
以下、本発明の好ましい実施の形態について、添付図面を参照して説明する。図１は、本発明の一実施の形態におけるコンテナ運搬車両１を示す図であり、図１（ａ）は、コンテナ運搬車両１の上面図であり、図１（ｂ）は、コンテナ運搬車両１の側面図である。また、図２（ａ）は、図１（ａ）のＩＩａ部におけるコンテナ運搬車両１の部分拡大上面図であり、図２（ｂ）は、図２（ａ）のＩＩｂ−ＩＩｂ線におけるコンテナ車両１の部分断面図である。
【００３９】
なお、図１（ｂ）では、コンテナＣの外形を仮想的に２点鎖線で図示すると共に、理解を容易とするために、各サイズのコンテナＣ（２０フィートコンテナＣ２０、４０フィートコンテナＣ４０及び４５フィートコンテナＣ４５）をそれぞれ異なる高さで図示している。但し、各サイズのコンテナＣは、同じ高さであっても良い。また、図２（ｂ）では、前後ガイド５を揺動駆動するための駆動構造についての図示が省略されている。
【００４０】
まず、図１及び図２を参照してコンテナ運搬車両１の全体構成について説明する。図１に示すように、コンテナ運搬車両１は、積載されたコンテナＣを運搬するためのものであり、車台２と、その車台２に軸支される車輪３と、車台２の幅方向（図1（ａ）上下方向）両端に配設される左右ガイド４と、２０フィートコンテナＣ２０及び４０フィートコンテナＣ４０の全長寸法（図１（ａ）及び図１（ｂ）左右方向寸法）に対応して配設される前後ガイド５と、４５フィートコンテナＣ４５の全長寸法に対応して車台２の前後方向（図１左右方向）端部に配設されるエンドガイド６とを主に備えて構成されている。
【００４１】
車台２は、図１に示すように、後述する車輪３及び左右ガイド４等を支持するためのものであり、その幅寸法（図１（ａ）上下方向寸法）がコンテナＣの幅寸法よりも大きく設定され、かつ、その全長寸法（図１（ａ）及び図１（ｂ）左右方向寸法）が４５フィートコンテナＣ４５の全長寸法よりも大きく設定されている。また、車台２には、その上面に積載台２１が配設されている。
【００４２】
積載台２１は、その上面に形成された平坦面状の積載面２１ａにコンテナＣを積載するための台であり、図１に示すように、車台２上の複数個所（各コンテナＣ２０〜Ｃ４５の四隅部（隅金具部）に対応する箇所であって、本実施の形態では合計１２か所）に分散配設されている。
【００４３】
なお、積載部２１の端縁部には、図２（ａ）及び図２（ｂ）に示すように、板厚方向へ穿設される上面視略矩形状の窓部２２が開口されており、この窓部２２を介して、後述する着床検出装置７の出没端部８０が積載面２１ａ上に突出されると共に積載面２１ａ下へ没入される（図７参照）。
【００４４】
車輪３は、図１（ｂ）に示すように、車台２の下面に転舵可能に軸支されるものであり、油圧モータなどの走行駆動装置（図示せず）及び電動モータなどの操舵装置（図示せず）の駆動力により回転駆動および操舵駆動される。
【００４５】
左右ガイド４は、図１及び図2に示すように、車台２の上面に立設される固定式の案内規制部材であり、積載面２１ａへ向けて下降傾斜する案内面４２ａを備えると共に、各コンテナＣ２０〜Ｃ４５の四隅部（隅金具部）に対応する位置（即ち、各積載台２１に隣設する位置）にそれぞれ配設されている。
【００４６】
左右ガイド４は、案内面４２ａを下降傾斜させつつ車台２の左方向又は右方向（幅方向、図１（ａ）上下方向）へ向けて配置されており、コンテナＣは、この案内面４２ａに沿って降下されることで、車台２の幅方向に案内され、積載面２１ａ上の所定の積載位置へ着床される。
【００４７】
なお、左右ガイド４は、車台２の幅方向（図１（ａ）上下方向）に対向するもの同士において、それらの案内面４２ａの下降側（図２（a）下側）端部の離間寸法がコンテナＣの幅寸法と略同等に設定されており、積載台２１（積載面２１ａ）に積載されたコンテナＣの動きを車台２の幅方向に規制する役割も担っている。
【００４８】
ここで、左右ガイド４は、後述するように、内部に空間Ｓを有して構成されると共に、その空間Ｓ内に着床検出装置７を収納する（図３等参照）。なお、着床検出装置７は、後述するように、コンテナＣの着床を検出するための装置であり、本実施の形態では、コンテナＣ２０の四隅部（隅金具部）に対応して４か所（車台２の中央側）に配設された４個の左右ガイド４の内の対角となる位置に配設された２個の左右ガイド４内に、それぞれ１個ずつ合計２個の着床検出装置７を収納する。
【００４９】
これにより、各サイズのコンテナＣ２０〜Ｃ４５の着床を、最低個数（即ち、２個）の着床検出装置７で検出することができるので、部品点数を削減して、その分、コンテナ運搬車両１全体としての製品コストの削減を図ることができる。
【００５０】
なお、上述した２個の着床検出装置７に加えて、コンテナＣ４０の四隅部（隅金具部）に対応して４か所に配設された４個の左右ガイド４の内の対角となる位置に配設された２個の左右ガイド４内、及び、コンテナＣ４５の四隅部（隅金具部）に対応して４か所（車台２の前後方向端側）に配設された４個の左右ガイド４の内の対角となる位置に配設された２個の左右ガイド４内にもそれぞれ着床検出装置７を収納しても良い。
【００５１】
これにより、異なるサイズの各コンテナＣ２０〜Ｃ４５に対して、その着床を確実に検出することができる。よって、部品点数を削減して、コンテナ運搬車両１全体としての製品コストの削減を図ることができる。
【００５２】
また、左右ガイド４は、図２（ａ）及び図２（ｂ）に示すように、案内面４２ａの端縁部に正面視略矩形状の窓部４３が開口されている。この窓部４３は、上述した積載台２１の窓部２２と隣設する位置に形成されており、後述する着床検出装置７の出没端部８０は、これら窓部２２，４２を介して、積載面２１ａ上に突出されると共に積載面２１ａ下へ没入される（図７参照）。
【００５３】
前後ガイド５は、図１及び図２に示すように、車台２の上面に対して出没可能に構成される可動式の案内規制部材であり、積載面２１ａへ向けて下降傾斜する案内面５ａを備えると共に、２０フィートコンテナＣ２０及び４０フィートコンテナＣ４０の四隅部（隅金具部）に対応する位置（即ち、各積載台２１に隣設する位置）にそれぞれ配設されている。
【００５４】
前後ガイド５は、案内面５ａを下降傾斜させつつ車台２の前方向または後方向（図１（ａ）及び図１（ｂ）左右方向）へ向けて配置されており、コンテナＣは、この案内面５ａに沿って降下されることで、車台２の前後方向に案内され、積載面２１ａ上の所定の積載位置へ着床される。
【００５５】
なお、前後ガイド５は、車台２の前後方向（図１（ａ）及び図１ｂ上下方向）に対向するもの同士において、それらの案内面５ａの下降側端部同士の離間寸法が２０フィートコンテナＣ２０又は４０フィートコンテナＣ４０の全長寸法（図１（ａ）及び図１（ｂ）左右方向寸法）と略同等に設定されており、積載台２１（積載面２１ａ）に積載されたコンテナＣの動きを車台２の前後方向に規制する役割も担っている。
【００５６】
また、前後ガイド５は、軸部５ｂを中心に揺動可能に構成され、車台２の上面に突出する突出位置と、車台２内に格納される格納位置（図示せず）との２位置間を図示しない揺動構造により揺動駆動される。なお、格納位置では、積載面２１ａよりも下方に前後ガイド５が没入される。また、図示しない揺動構造は、積載台２１（積載面２１ａ）の下方に配置される。
【００５７】
エンドガイド６は、図１（ａ）及び図１（ｂ）に示すように、車台２の上面に立設される固定式の案内規制部材であり、コンテナＣを積載面２１ａへ向けて案内するための案内面６ａを備えると共に、４５フィートコンテナＣ４５の底面の四隅部に対応する位置（即ち、各積載台２１に隣設する位置）にそれぞれ配設されている。
【００５８】
エンドガイド６は、案内面６ａを下降傾斜させつつ車台２の前方向または後方向（図１（ａ）及び図１（ｂ）左右方向）へ向けて配置されており、コンテナＣは、この案内面６ａに沿って降下されることで、車台２の前後方向に案内され、積載面２１ａ上の所定の積載位置へ着床される。
【００５９】
なお、エンドガイド６は、車台２の前後方向（図１（ａ）及び図１ｂ上下方向）に対向するもの同士において、それらの案内面６ａの下降側端部の離間寸法が４５フィートコンテナＣの全長寸法（図1（ａ）及び図1（ｂ）左右方向寸法）と略同等に設定されており、積載台２１（積載面２１ａ）に積載された４５フィートコンテナＣ４５の動きを車台２の前後方向に規制する役割も担っている。
【００６０】
ここで、本実施の形態におけるコンテナ運搬車両1において、積載可能な最大サイズのコンテナＣは、４５フィートコンテナＣ４５である。このことから、エンドガイド６の上部にコンテナＣが積載されることがないため、エンドガイド６は、上述したように、固定式で構成されている。
【００６１】
次に、図３及び図４を参照して、着床検出装置７の詳細構成について説明する。図３は、図２（ａ）の矢印ＩＩＩ方向視における着床検出装置７の側面図である。また、図４（ａ）は、図２（ｂ）の矢印ＩＶａ方向視における着床検出装置７の上面図であり、図４（ｂ）は、図２（ａ）の矢印ＩＶｂ方向視における着床検出装置７の正面図である。なお、図３及び図４では、左右ガイド４の一部が断面視された状態が図示されている。
【００６２】
左右ガイド４は、図３及び図４に示すように、車台２から立設される一対の立設壁部４１と、それら一対の立設壁部４１に保持される案内板部４２とを主に備えて構成される。一対の立設壁部４１は、所定間隔を隔てつつ互いに対向して配設され、図３に示すように、積載面２１ａ側（図３左側）の縁部が下降傾斜して形成されることで、側面視三角形状に形成されている。この下降傾斜する両縁部には、板状の連結壁４１ａが溶接固定されている。
【００６３】
案内板部４２は、コンテナＣを積載面２１ａへ向けて案内するための板状部材であり、図３に示すように、連結壁部４１ａを介して、一対の立設壁部４１に保持されている。なお、案内板部４２は、図３に示すように、連結壁部４１ａに対し、重ね合された状態で締結固定され、これにより、積載面２１ａへ向けて下降傾斜されると共に、その上面側（図３左側面）に案内面４２ａが形成されている。
【００６４】
このように、左右ガイド４は、板状の立設壁部４１及び案内板部４２により構成されることで、その内部に空間Ｓを有して構成されている。即ち、図３及び図４に示すように、左右ガイド４の立設壁部４１及び案内板部４２と車台２との間には空間Ｓが形成され、この空間Ｓ内に着床検出装置７が収納される。
【００６５】
このように、板状の立設壁部４１及び案内板部４２により左右ガイド４を形成する構成であるので、コンテナＣの荷重を受け止めて案内または規制するための剛性を確保しつつ、左右ガイド４自体の軽量化を図ることができる。しかしながら、この場合、かかる左右ガイド４の内部に形成される空間Ｓがデッドスペースとなり無駄である。
【００６６】
これに対し、本実施の形態では、図３及び図４に示すように、デッドスペースとなる空間Ｓ内に、着床検出装置７（レバー部材７１の一部（出没端部８０）を除く）を収納する構成であるので、コンテナ運搬車両１の車台２上のスペースを有効に活用することができる。
【００６７】
また、このように、左右ガイド４により形成される空間Ｓ内に着床検出装置７を収納することができれば、かかる着床検出装置７を積載台２１（積載面２１ａ）の下方（図３下側）に配置する必要がないので、その分、かかる積載面２１ａ下のスペースを他の装置（即ち、前後ガイド５を揺動駆動するための駆動構造）を収納するスペースとして利用することができるので、その分、設計の自由度を大きくすることができる。
【００６８】
着床検出装置７は、コンテナＣが積載面２１ａ上の所定の積載位置に着床されたかを検出するための装置であり、図３及び図４に示すように、レバー部材７１と、リミットスイッチＬＳと、コイルスプリングＣＳとを主に備えて構成される。
【００６９】
ここで、空間Ｓ内には、図３及び図４に示すように、一対の軸支壁７５が、車台２に締結固定される基台部７６から立設されると共に、所定間隔を隔てつつ互いに対向して配設されている。これら一対の軸支壁７５は、その対向面間に配置されたレバー部材７１を回動軸７７により回動可能に軸支する。なお、回動軸７７は、その軸心方向が車台２の前後方向（図１（ａ）及び図１（ｂ）左右方向）と平行となるように配置されている。
【００７０】
レバー部材７１は、図３に示すように、回動軸７７に軸支される本体部９０と、その本体部９０の一端側（図３左側）に取着される出没端部８０とを備えると共に、他端側に連結された後述するコイルスプリングＣＳにより一の回動方向（図３時計周り）へ向けて付勢されている。
【００７１】
レバー部材７１がコイルスプリングＣＳの付勢力に抗して他の回動方向（図３反時計回り）へ回動されると、出没端部８０が積載面２１ａ下へ没入される（図７（ｂ）参照）。一方、レバー部材７１がコイルスプリングＣＳの付勢力により一の回動方向（図３時計周り）へ回動されると、出没端部８０が窓部４３に当接されることで、図３に示すように、レバー部材７１の一の回動方向への回動が規制される（この図３に示す回動位置を以下「突出回動位置」と称す。）。
【００７２】
即ち、レバー部材７１は、コンテナＣの底面によって出没端部８０が下方へ押し下げられると、シーソー式に回動されることで、他端側（図３右側）を上方へ持ち上げ、この持ち上げられた他端側によってリミットスイッチＬＳをオンするように構成されている（図７（ｂ）参照。この図７（ｂ）に示す回動位置を以下「没入回動位置」と称す。）。ここで、図５及び図６を参照して、レバー部材７１の詳細構成について説明する。
【００７３】
図５（ａ）は出没端部８０の上面図であり、図５（ｂ）は出没端部８０の側面図であり、図５（ｃ）は出没端部８０の正面図である。
【００７４】
出没端部８０は、炭素鋼（本実施の形態ではＳ４５Ｃ）から略直方体状に構成され、図５に示すように、上面８１と、その上面８１に対して平行な底面８２と、それら上面８１及び底面８２に対して直交する連結面８３と、上面８１側の稜線部を面取り加工して形成される傾斜面８４とを備えて構成される。
【００７５】
上面８１及び底面８２は、レバー部材７１が突出回動位置に位置すると（図３参照）、積載台２１の積載面２１ａに対して平行となる。よって、この場合、連結面８３は、積載台２１の積載面２１ａに対して直交する。連結面８３は、後述する本体部９０の連結面９３に連結される面であり、図５に示すように、内周にめねじが螺刻された一対の締結穴８３ａを備える。
【００７６】
傾斜面８４は、コンテナＣが積載面２１ａ上を横滑りし、出没端部８０が横方向（例えば、図５（ｂ）右方向）へ押圧される場合に、その横方向の押圧力を下方向（図５（ｂ）下方向）への力に変換するための部位であり、先端側傾斜面８４ａと、対向側傾斜面８４ｂと、開放側傾斜面８４ｃとを備える。
【００７７】
先端側傾斜面８４ａは、出没端部８０の先端側（連結面８３と反対側）に形成され、主に車台２の幅方向（例えば、図２（ａ）上方向、図３右方向）へ横滑りするコンテナＣに対応するための部位であり、図５に示すように、上面８１側から積載台２１の積載面２１ａ（図３参照）へ向けて下降傾斜する平坦面として形成されている。
【００７８】
対向側傾斜面８４ｂは、前後ガイド５に対向する側（例えば、図２（ａ）左側、図３紙面奥側）に形成され、主に前後ガイド５の案内面５ａに乗り上げたコンテナＣに対応するための部位であり、図５に示すように、上面８１側から積載台２１の積載面２１ａ（図３参照）へ向けて下降傾斜する平坦面として形成されている。
【００７９】
開放側傾斜面８４ｃは、対向側傾斜面８４ｂと反対側（例えば、図２（ａ）右側、図３紙面手前側）に形成され、主に車台２の前後方向（例えば、図２（ａ）左方向、図３紙面手前から奥へ向かう方向）へ横滑りするコンテナＣに対応するための部位であり、図５に示すように、上面８１側から積載台２１の積載面２１ａ（図３参照）へ向けて下降傾斜する平坦面として形成されている。
【００８０】
このように、出没端部８０は、３方向の傾斜面（先端側傾斜面８４ａ、対向側傾斜面８４ｂ及び開放側傾斜面８４ｃ）を備えると共に、これら各傾斜面８４ａ〜８４ｃの方向を左右ガイド４及び前後ガイド５の各案内面４２ａ，５ａの方向に対応させる構成であるので、積載面２１ａ上を横滑りするコンテナＣが出没端部８０を車台２の前後方向または左右方向のいずれの方向から押圧する場合であっても、かかるコンテナＣによる押圧を各傾斜面８４ａ〜８４ｃのいずれかにより受け止めることができる。その結果、レバー部材７１を他の回動方向（例えば、図３反時計周り）へ向けてスムーズに回動させて、出没端部８０を積載面２１ａ下へ確実に没入させることができるので、レバー部材７１の破損を確実に抑制しつつ、コンテナＣの着床を確実に検出することができる。
【００８１】
ここで、出没端部８０の先端側傾斜面８４ａ及び開放側傾斜面８４ｃは、出没端部８０が積載面２１ａ上へ最も突出された状態（即ち、レバー部材７１が図３に示す突出回動位置にある状態）において、それら両傾斜面８４ａ，８４ｃの下端縁（図５（ｃ）下側端縁）が少なくとも積載面２１ａ下に位置するように構成されている（図３参照）。
【００８２】
これにより、レバー部材７１が突出回動位置に位置する場合には（図３参照）、出没端部８０の先端面及び側面であって、先端側傾斜面８４ａ及び開放側傾斜面８４ｃが形成されていない非傾斜部（図５（ｂ）左側面及び紙面手前側面）を積載面２１ａ下に位置させることができる。
【００８３】
よって、積載面２１ａ上を横滑りするコンテナＣが出没端部８０を横方向（例えば、図３右方向又は紙面奥方向）へ向けて押圧する場合に、コンテナＣが非傾斜部に引っ掛かることを回避して、レバー部材７１に過大な荷重が作用することを抑制することができ、その結果、レバー部材７１の破損を確実に抑制することができる。
【００８４】
図５（ｂ）及び図５（ｃ）に示すように、各傾斜面８４ａ〜８４ｃは、上面８１又は底面８２に対する傾斜角θａ〜θｃがそれぞれ４０度に設定されている。これにより、レバー部材７１（出没端部８０）の破損を抑制しつつ、レバー部材７１の小型軽量化を図ることができる。
【００８５】
即ち、傾斜角θａ〜θｃが４５度を超えると、積載面２１ａ（図３参照）に対して各傾斜面８４ａ〜８４ｃが立ち過ぎるため、積載面２１ａ上を横滑りするコンテナＣが各傾斜面８４ａ〜８４ｃに引っ掛かりやすくなり、この場合には、レバー部材７１に過大な荷重が作用して、その破損を招く。
【００８６】
これに対し、本実施の形態のように、傾斜角θａ〜θｃを４０度とすることで、コンテナＣが各傾斜面８４ａ〜８４ｃに引っ掛かることを抑制して、レバー部材７１を確実に回動させる（出没端部８０を積載面２１ａ下へ確実に没入させる）ことができるので、レバー部材７１の破損を抑制することができる。
【００８７】
一方、出没端部８０は積載面２１ａからの突出高さ（例えば、図３上下方向高さ）が所定量以上であることが必要である（出没端部８０に対して回動軸７７を挟んで反対側に位置する本体部９０のスライド面９１の昇降ストロークを確保して、リミットスイッチＬＳを確実に作動させる（押し上げる）必要がある）ところ、傾斜角θａ〜θｃが３０度よりも小さいと、積載面２１ａに対して各傾斜面８４ａ〜８４ｃが傾斜し過ぎとなり、かかる傾斜面８４ａ〜８４ｃの面積（即ち、図５（ａ）上下方向寸法及び左右方向寸法）が大きくなるため、その分、レバー部材７１（出没端部８０）の大型化を招く。これに対し、本実施の形態のように、傾斜角を４０度とすることで、出没端部８０の突出高さを確保しつつ、傾斜面８４ａ〜８４ｃの面積を抑制して、その分、レバー部材７１の小型軽量化を図ることができる。
【００８８】
なお、各傾斜面８４ａ〜８４ｃの傾斜角θａ〜θｃは、４０度に限定されるものではなく、適宜変更することができる。但し、上述した理由により、３０度以上かつ４５度以下の範囲内に設定されることが好ましい。また、傾斜角θａ〜θｃは、各傾斜面８４ａ〜８４ｃで異なる値とすることは当然可能である。
【００８９】
図５（ａ）及び図５（ｃ）に示すように、没端部８０は、対向側傾斜面８４ｂの面積が先端側傾斜面８４ａ及び開放側傾斜面８４ｃの面積よりも小さくされている。よって、レバー部材７１の幅寸法（図５（ａ）上下方向寸法）を小さくして、その小型軽量化を図ることができる。
【００９０】
即ち、先端側傾斜面８４ａ及び開放側傾斜面８４ｃは、積載面２１ａ上を横滑りするコンテナＣにより横方向（図５（ａ）右方向又は上方向）への押圧を受けるため、その面積を十分に確保することが要求される一方で、対向側傾斜面８４ｃは、積載面２１ａ上を横滑りするコンテナＣではなく、前後ガイド５の案内面５ａに乗り上げたコンテナＣによって下方向（図５（ｃ）下方向）へ押し下げられる部位であるため（例えば、図２（ｂ）参照）、その面積を比較的小さくすることができる。よって、かかる対向側傾斜面８４ｂの面積を他の両傾斜面８４ａ，８４ｃの面積よりも小さくすることで、コンテナＣの着床検出精度とレバー部材７１の破損抑制性能とを確保しつつ、レバー部材７１の幅寸法（図５（ａ）上下方向寸法）の小型化を図ることができる。
【００９１】
図６（ａ）は本体部９０の上面図であり、図６（ｂ）は本体部９０の側面図であり、図６（ｃ）は本体部９０の正面図である。
【００９２】
本体部９０は、鋼板（本実施の形態ではＳＳ４００）から側面視略Ｌ字状に構成され、図６に示すように、本体部９０の上面側に形成されるスライド面９１と、そのスライド面９１の反対面側に突設される係止片９２と、本体部９０の先端側に形成される連結面９３と、これら連結面９３とスライド面９１との間に位置し回動軸７７が挿通される挿通孔９４とを備えて構成される。
【００９３】
スライド面９１は、後述するリミットスイッチＬＳのローラーレバー２０１を動作させるための部位であり、図６に示すように、平坦面として形成されている。レバー部材７１が他の回動方向（図３反時計回り）に回動されると、このスライド面９１によりローラーレバー２０１が上方へ押し上げられ、リミットスイッチＬＳがオンされる（図７（ｂ）参照）。
【００９４】
係止片９２は、後述するコイルスプリングＣＳを係止するための部位であり、図６（ｂ）に示すように、側面視Ｌ字状に屈曲して形成されている。レバー部材７１は、この係止片９２を介して、コイルスプリングＣＳに付勢されることで、上述した突出回動位置（図３参照）に保持される。
【００９５】
連結面９３は、上述した出没端部８０の連結面８３に連結される面であり、図６（ｂ）及び図６（ｃ）に示すように、板厚方向に穿設された挿通孔９３ａを備える。レバー部材７１は、出没端部８０及び本体部９０を連結面８３，９３で連結し、本体部９０の挿通孔９３ａに挿通したボルトＢを出没端部８０の締結孔８３ａに螺合することで、出没端部８０及び本体部９０を締結固定して、組み立てられる（図３参照）。
【００９６】
このように、本実施の形態によれば、本体部９０に対して出没端部８０を取り外し可能な分割式としてレバー部材７１が構成されているので、これら本体部９０と出没端部８０とを異なる材質の材料からそれぞれ構成することができる。
【００９７】
即ち、本実施の形態では、コンテナＣに当接される出没端部８０のみを本体部９０よりも高強度の材料（本実施の形態ではＳ４５Ｃ）から構成したので、強度が必要とされる部位（コンテナＣに当接される出没端部８０）のみを効率的に補強することができる。よって、レバー部材７１全体を高強度の材料から構成する場合と比較して、出没端部８０の摩耗や損傷を抑制しつつ、材料コストの削減を図ることができる。
【００９８】
更に、出没端部８０を本体部９０に対して着脱可能に構成することで、例えば、出没端部８０がコンテナＣへ繰り返し当接されて摩耗した場合や、或いは、コンテナＣからの横方向への荷重により本体部９０が破損した場合などには、これら出没端部８０及び本体部９０の内の摩耗又は破損したもののみを交換すれば良く、レバー部材７１全体を例えば新品に交換する必要がない。これにより、部品交換の際の材料の無駄を抑制して、その分、コンテナ運搬車両１全体としての維持費を削減することができる。
【００９９】
図３及び図４に戻って説明する。リミットスイッチＬＳは、レバー部材７１の回動位置を検出するための電気的スイッチであり、レバー部材７１の回動に伴って、ローラーレバー２０１が本体部９０のスライド面９１により押し上げられる（図３反時計回り）と電気的にオン動作され（図７（ｂ）参照）、本体部９０のスライド面９１が下方（図３下側）へ降下されると、図３に示すように、復帰ばねによりローラーレバー２０１も降下され、電気的にオフ動作される。
【０１００】
コイルスプリングＣＳは、レバー部材７１を一の回動方向（図３時計周り）に付勢するための弾性コイルばねであり、図３に示すように、弾性的に引っ張り変形された状態で、レバー部材７１の係止片９２と基台部７６の図示しない係止片との間に係止されている。その結果、コイルスプリングＣＳの弾性復元力により、レバー部材７１は図３に示す突出回動位置に保持される。
【０１０１】
このように、着床検出装置７は、図３に示すように、側面視（回動軸７７の軸心方向視）において、回動軸７７の一側に出没端部８０を配置すると共に、回動軸の他側にスライド面９１及び係止片９２を配置し、かつ、係止片９２が車台２側に配置されると共に係止片９２の反対面側にスライド面９１を配置し、ローラーレバー２０１の回動中心がスライド面９１との接触位置により回動軸７７側に位置する構成であるので、左右ガイド４により形成される側面視略三角形状の空間Ｓ内に着床検出装置７を効率的に収納することができる。
【０１０２】
次いで、図７を参照して、以上のように構成された着床検出装置７の検出動作を説明する。図７は着床検出装置７の側面図であり、図７（ａ）はレバー部材７１が突出回動位置にある状態を、図７（ｂ）はレバー部材７１が没入回動位置にある状態を、それぞれ図示している。なお、図７（ａ）及び図７（ｂ）は、図２（ａ）の矢印ＩＩＩ方向視における着床検出装置７の側面図に対応する。
【０１０３】
図７（ａ）に示すように、着床検出装置７によれば、例えば、コンテナＣが車台２の幅方向（図７（ａ）矢印Ｘ方向）へ向けて積載面２１ａ上を横滑りして着床される場合、その横滑りするコンテナＣによって突出端部８０が横方向（図７（ａ）矢印Ｘ方向）へ向けて押圧されると、その横方向の押圧力が、先端側傾斜面８４ａによって、下方向（図７（ａ）下方向）への力に変換される。
【０１０４】
これにより、レバー部材７１は、他の回動方向（図７（ａ）反時計回り）へ向けて回動され、図７（ｂ）に示すように、出没端部８０が積載面２１ａ下に没入された没入回動位置に配置される。その結果、レバー部材７１のスライド面９１によりローラーレバー２０１が押し上げられ、リミットスイッチＬＳが電気的にオンされることで、コンテナＣの積載面２１ａへの着床が検出される。
【０１０５】
なお、没入回動位置では、図７（ｂ）に示すように、出没端部８０が積載面２１ａ下へ没入される構成であるので、積載面２１ａに積載されたコンテナの荷重を積載面２１ａのみに作用させることができる。即ち、コンテナＣの荷重を出没端部８０（レバー部材７１）で受ける必要がないので、その分、レバー部材７１や回動軸７７等の構造を簡素化して、着床検出装置７の小型軽量化を図ることができる。
【０１０６】
また、レバー部材７１は、上述したように、出没端部８０の連結面８３を本体部９０の連結面９３に連結してボルトＢにより締結固定されるが、これら連結面８３，９３は、図７（ａ）に示すように、レバー部材７１が突出回動位置にある状態において、積載面２１ａに略垂直な面として配置されるので、横滑りするコンテナＣから横方向への押圧力を受けた場合に、かかる押圧力を連結面８３と連結面９３とが押し付けあう方向（図７（ａ）左右方向）に作用させることができる。
【０１０７】
即ち、コンテナＣの横滑りによる横方向への押圧力によって連結面８３と連結面９３とが互いに平行（例えば、図７（ａ）では上下方向）にスライドする構成では、ボルトＢがせん断力により折損するおそれがあるが、上述のように構成することで、ボルトＢへの負担を軽減して、その損傷等を抑制することができる。
【０１０８】
図７（ｂ）に示すように、レバー部材７１が没入回動位置に位置する状態において、コンテナＣが積載面２１ａから取り外されると、コイルスプリングＣＳの弾性回復力により、レバー部材７１が一の方向（図７（ｂ）時計周り）へ向けて回動され、図７（ａ）に示す突出回動位置に復帰される。この場合、レバー部材７１の回動に伴って、ローラーレバー２０が復帰ばねにより押し下げられ、リミットスイッチＬＳが電気的にオフされる。
【０１０９】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。
【０１１０】
例えば、上記実施の形態で挙げた数値は一例であり、他の数値を採用することは当然可能である。
【０１１１】
例えば、上記実施の形態では、レバー部材７１の回動位置をリミットスイッチＬＳにより検出する場合を説明したが、回動位置検出部材はリミットスイッチに限られるものではなく、回動位置検出部材を他のセンサ装置により構成することは当然可能である。他のセンサ装置としては、例えば、回動軸７７の回転角を計測するロータリーポテンションセンサーやロータリーエンコーダが例示される。
【図面の簡単な説明】
【０１１２】
【図１】（ａ）はコンテナ運搬車両の上面図であり、（ｂ）はコンテナ運搬車両の側面図である。
【図２】（ａ）は図１（ａ）のＩＩａ部におけるコンテナ運搬車両の部分拡大上面図であり、（ｂ）は図２（ａ）のＩＩｂ−ＩＩｂ線におけるコンテナ車両の部分断面図である。
【図３】図２（ａ）の矢印ＩＩＩ方向視における着床検出装置の側面図である。
【図４】（ａ）は図２（ｂ）の矢印ＩＶａ方向視における着床検出装置の上面図であり、（ｂ）は図２（ａ）の矢印ＩＶｂ方向視における着床検出装置の正面図である。
【図５】（ａ）は出没端部の上面図であり、（ｂ）は出没端部の側面図であり、（ｃ）は出没端部の正面図である。
【図６】（ａ）は本体部の上面図であり、（ｂ）は本体部の側面図であり、（ｃ）は本体部の正面図である。
【図７】（ａ）はレバー部材が突出回動位置にある状態を、（ｂ）はレバー部材が没入回動位置にある状態を、それぞれ図示する着床検出装置の側面図である。
【図８】従来の着床検出装置を示す模式図である。
【符号の説明】
【０１１３】
１            コンテナ運搬車両（運搬車両）
２            車台
２１ａ        積載面
４            左右ガイド（コンテナガイド）
４１          立設壁部
４２          案内板部
５            前後ガイド（コンテナガイド）
６            固定ガイド（コンテナガイド）
７            着床検出装置
７１          レバー部材
８０          出没端部
８１          上面
８４          傾斜面
８４ａ        先端側傾斜面（傾斜面の一部）
８４ｂ        対向側傾斜面（傾斜面の一部）
８４ｂ        開放側傾斜面（傾斜面の一部）
９０          本体部
θａ〜θｃ    傾斜角
ＣＳ          コイルスプリング（付勢部材）
ＬＳ          リミットスイッチ（回動位置検出部材）
Ｓ            空間
Ｃ            コンテナ
Ｃ２０        ２０フィートコンテナ（コンテナ）
Ｃ４０        ４０フィートコンテナ（コンテナ）
Ｃ４５        ４５フィートコンテナ（コンテナ）
【図１】
0004610592.tif 000002
【図２】
0004610592.tif 000003
【図３】
0004610592.tif 000004
【図４】
0004610592.tif 000005
【図５】
0004610592.tif 000006
【図６】
0004610592.tif 000007
【図７】
0004610592.tif 000008
【図８】
0004610592.tif 000009